(57)【要約】  本願は、ウエブ及びウエブの縁部分に沿った直交フランジを有する断面を含んだ内部張力梁を備えている実質的角柱タンクであって、梁は、交互に直交する層状に配置されており、かつ少なくともいくつかの交差部分にて互いに接続されている、角柱タンクにおいて、梁が、それらのフランジを垂直方向に向ける共にそれらのウエブを水平方向に向けるように配置されている、角柱タンクに関する。【選択図】図２
2013509552.tif 000002
【特許請求の範囲】
【請求項１】
ウエブ及び該ウエブの縁部分に沿った直交フランジを有する断面を含んだ内部張力梁（１）を備えている実質的角柱タンクであって、前記梁が、交互に直交する層状に配置されており、かつ少なくともいくつかの交差部分にて互いに接続されている、角柱タンクにおいて、
前記梁同士が、それらの前記フランジを垂直方向に向ける共にそれらの前記ウエブを水平方向に向けるように配置されている、角柱タンク。
【請求項２】
前記梁同士が、該梁（１）のウエブに取り付けられたスペーサ要素（５）によって、互いに接続されている、請求項１に記載の角柱タンク。
【請求項３】
前記梁同士が、該梁のフランジの少なくとも１つに取り付けられたスペーサ要素（２）によって、互いに接続されている、請求項１に記載の角柱タンク。
【請求項４】
前記スペーサ要素（２，５）が、前記梁同士の間のせん断荷重を支持する機能を有している、請求項２又は３に記載の角柱タンク。
【請求項５】
前記スペーサ要素（２，５）が曲げ剛性及び捩れ柔軟性を有している、請求項２〜４のいずれか一項に記載の角柱タンク。
【発明の詳細な説明】
【技術分野】
【０００１】
本発明は、低温液化天然ガスを含む炭化水素のような流体を貯蔵及び運搬するためのタンクに関する。このようなタンクの例として、船舶用タンク、波荷重を受ける浮遊式海洋構造物用タンク、及び重力式海洋構造物用タンク、並びに地震に晒される陸上タンクが挙げられる。
【背景技術】
【０００２】
タンクは、多くの異なる形状、例えば、一般的には、球、円筒、円錐、及びシェルの形状、並びに角柱形状に設計されている。角柱形状の主な利点は、入れ子式に互いに近接させて重ねることによって、このようなタンクが占める容積を最小限に抑えることができることにある。単純な構造の角柱タンクは、曲げ作用に依存して強度を発揮するようになっているので、構造効率が劣ることになる。シェルは、該シェルの面内の直接的な張力によって強度を発揮するようになっている。これによって、同一量の材料の場合、より大きな強度がもたらされることになる。
【０００３】
角柱形状のより効率的な設計では、内部支柱（張力梁）が組み入れられている。内部荷重又は内圧を拘束する主な手段として支柱を用いることによって、このような支柱が組み入れられた角柱タンクは、構造効率の観点から、シェル形状に匹敵するものとなる。特許文献１は、このようなタンクを開示している。この文献は、参照することによって、ここに含まれるものとする。
【０００４】
構造的強度を高める以外に、支柱は、波運動によって生じたスロッシングを緩和する働きがある。スロッシングによって張力支柱に加えられる水平荷重は、梁によって吸収されることになるので、曲げを制限するために、該梁は、各交差部分にて、互いに接続される必要がある。これらの梁は、交互に直交する層状に組み立てられている。
【０００５】
このようなタンクを設計する最新の方法は、特許文献１及び特許文献２に記載されている。垂直ウエブ及び水平フランジを有する張力梁は、交互に直交する層状に配置されている。梁同士の間の接続は、上下フランジを互いに接続することによってなされている。
【先行技術文献】
【特許文献】
【０００６】
【特許文献１】国際特許出願公開第２００６／００１７１１Ａ２号パンフレット
【特許文献２】国際特許出願公開第２００８／１０３０５３号パンフレット
【発明の概要】
【発明が解決しようとする課題】
【０００７】
本発明の目的は、実質的角柱タンクに用いられる場合に、張力梁の曲げ強度をより効率的に利用することにある。
【課題を解決するための手段】
【０００８】
本発明は、水平ウエブ及び垂直フランジを有する梁であって、好ましくは、前記梁同士の間にスペーサ要素によって形成される接続部を備えた梁を用いることからなっている。スペーサ要素は、横方向梁からのせん断荷重を支持することができ、これによって、この荷重は、実質的な角柱タンクの内部にて、上側及び下側の横方向梁によって吸収されることになる。本発明は、さらに、以下のように特定されるものである。
【０００９】
ウエブ及びウエブの縁部分に沿った直交フランジを有する断面を含んだ内部張力梁を備えている実質的角柱タンクであって、梁が、交互に直交する層状に配置されており、かつ少なくともいくつかの交差部分において互いに接続されている、角柱タンクにおいて、梁が、それらのフランジを垂直方向に向ける共にそれらのウエブを水平方向に向けるように配置されている。
【００１０】
梁は、好ましくは、該梁のウエブに取り付けられたスペーサ要素によって、互いに接続されている。
【００１１】
他の好ましい実施形態では、梁は、該梁のフランジの少なくとも１つに取り付けられたスペーサ要素によって互いに接続されている。
【００１２】
スペーサ要素は、好ましくは、該梁同士の間のせん断荷重を支持する機能を有している。
【００１３】
さらに、スペーサ要素は曲げ剛性及び捩れ柔軟性を有している。
【００１４】
以下、添付の図面に概略的に示されている例示的実施形態を参照して、本発明のさらなる詳細について説明する。
【図面の簡単な説明】
【００１５】
【図１】本発明の第１の実施形態の一部を断面で示す平面図である。
【図２】図１の示されている実施形態の斜視図である。
【図３】本発明の代替的実施形態の一部を断面で示す側面図である。
【図４】図３に示されている実施形態に用いられる代替的なスペーサ要素の断面図である。
【図５】図３に示されている実施形態が用いられているタンクの内部の斜視図である。
【発明を実施するための形態】
【００１６】
図１は、ボルト３によって張力梁１に係留された２つのアングル材２の断面を示している。
【００１７】
図２は、図１に示されている実施形態の斜視図を示している。張力梁１の水平ウエブが、ボルト３によって取付けられたアングル材２によって、互いに接続されている。
【００１８】
図３は、スペーサ要素５を用いて、具体的には、ボルト止め又は溶接止めされたスペーサ要素５によって、交互に直交する梁４を互いに接続している代替的実施形態を示している。
【００１９】
図４は、スペーサ要素５の代替的断面を示している。
【００２０】
図５は、ボルト止め又は溶接止めされたスペーサ要素５によって互いに接続された内部張力梁１を特徴として有しているタンクの内部の斜視図を示している。
【図１】
2013509552.tif 000003
【図２】
2013509552.tif 000004
【図３】
2013509552.tif 000005
【図４】
2013509552.tif 000006
【図５】
2013509552.tif 000007
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
ウエブ及び該ウエブの縁部分に沿った直交フランジを有するＨ型断面又はＩ型断面を含む内部張力梁（１）を備えている実質的な角柱タンクであって、前記梁が、水平方向にて互いに直角に交差する梁（４）との組立体として配置されており、前記梁同士が、交差部分にて互いに接続されている、角柱タンクにおいて、
前記梁同士が、それらの前記フランジを垂直方向に向ける共にそれらの前記ウエブを水平方向に向けるように配置されており、
前記梁同士が、スペーサ要素（２，５）によって、前記少なくともいくつかの交差部分にて互いに接続されており、
前記スペーサ要素が、前記梁のウエブ及び前記梁のフランジの少なくとも１つに取り付けられている、角柱タンク。
【請求項２】
前記スペーサ要素（２，５）が、前記梁同士の間のせん断荷重を支持する機能を有している、請求項１に記載の角柱タンク。
【請求項３】
前記スペーサ要素（２，５）が曲げ剛性及び捩れ柔軟性を有している、請求項１又は２に記載の角柱タンク。
【国際調査報告】
2013509552.tif 000008
2013509552.tif 000009
2013509552.tif 000010